(57)【要約】【課題】ピンシリンダー錠に対して、確実に合鍵を作製することが可能なピンシリンダー錠の検知治具を提供する。【解決手段】外筒に設けた外ピンの第１曲面と内筒に設けた内ピンの第２曲面とをキーによってシェアラインに一致させることによって内筒の回動が可能となるようにしたピンシリンダー錠において、ダミーキー３０における内ピンに摺接する摺接面３３の表面層が所定量だけ切削除去されていることを特徴とする。前記所定量とは、ダミーキー３０の摺接面３３にテープ４を貼り付け、当該ダミーキー３をキー挿入溝に挿入し、テープ４が内ピンに接触した状態において、内ピンの第２曲面の頂部がシェアラインから外筒に向って突出し、かつ、曲面の下端がシェアラインよりも内筒に向って退避する量である。【選択図】図４
0003128771.tif 000002
【実用新案登録請求の範囲】
【請求項１】
外筒に内筒を回動自在に嵌装し、外筒に設けた外ピンの第１曲面と内筒に設けた内ピンの第２曲面とをキーによって内筒と外筒とのシェアラインに一致させることによって内筒の回動が可能となるようにしたピンシリンダー錠において、
前記内筒のキー挿入溝に挿入可能なダミーキーにおける前記内ピンに摺接する摺接面の表面層が下記の所定量だけ切削除去されていることを特徴とするピンシリンダー錠の検知治具
所定量：前記ダミーキーの前記摺接面にテープを貼り付け、当該ダミーキーをキー挿入溝に挿入し、前記テープが前記内ピンに接触した状態において、前記内ピンの第２曲面の頂部が前記シェアラインから外筒に向って突出し、かつ、前記第２曲面の下端が前記シェアラインよりも内筒に向って退避する量。
【考案の詳細な説明】
【技術分野】
【０００１】
本考案は、合鍵作成時に用いるピンシリンダー錠の検知治具に関する。
【背景技術】
【０００２】
従来より、ピンシリンダー錠が提案されている（特許文献１）。
【特許文献１】特開２００２−１２１９３９（要約）
【０００３】
かかるピンシリンダー錠の一例を図１および図２に示す。
図１に示すように、ピンシリンダー錠は、外筒１および内筒２を備えている。内筒２は外筒１に対して回動自在に嵌装されている。外筒１および内筒２内には、一対の外ピン１０および内ピン（タンブラー）１１が複数箇所に渡って設けられている。外ピン１０および内ピン１１は、キー３００の挿入方向Ｘに沿って一列に設けられている。前記外ピン１０および内ピン１１の組は、図１および図２で示す上部に設けられた外筒１および内筒２以外に左右に一対づつ、合計３列に渡って設けられている。
【０００４】
前記外ピン１０および内ピン１１は、外筒１および内筒２内を摺動自在に設けられている。前記各外ピン１０および内ピン１１の長さは当該錠固有の長さにランダムに形成されている。
前記外ピン１０には、内ピン１１側が狭まった径小部１０ｂを有する首部１０ａが形成されている。首部１０ａは、外ピン１０の長さに応じて複数箇所に設けられている。
【０００５】
前記外ピン１０において、内ピン１１側の端部には頭部１０ｃが形成されている。外ピン１０の他端部にはスプリング１２が設けられている。前記スプリング１２により、外ピン１０は内ピン１１に向って付勢されている。
内ピン１１の外ピン１０側の端部には、内ピン１１の頭部１０ｃに接触する上部１１ｃが形成されている。
【０００６】
前記ピンシリンダー錠を開錠するには、図２の破線で示すように、当該ピンシリンダー錠に合ったキー３００を内筒２のキー挿入溝２０に差し込む。
前記キー３００に形成された係合孔３０１に内ピン１１の先端１１ａが嵌り込むことにより、各内ピン１１が外筒１をそれぞれ外ピン１０側に押す。前記内ピン１１により、外筒１と内筒２との境界（シェアライン）Ｌと、外筒１の上部１１ｃと外ピン１０の頭部１０ｃとの接触面Ｓとが一致し、内筒２が外筒１に対して回動可能となり、該ピンシリンダー錠の開錠を行うことができる。
すなわち、外筒１に設けた外ピン１０の頭部１０ｃの第１曲面１０ｒと、内筒２に設けた内ピン１１の上部１１ｃの第２曲面１１ｒとをキー３００を用いて、前記シェアラインＬに一致させることにより内筒２の回動が可能となり、前記ピンシリンダー錠の開錠が可能となる。
【考案の開示】
【０００７】
ところで、前記キー３００を紛失した場合などには、前記ピンシリンダー錠に基づいて合鍵を作製する必要がある。しかし、ピンシリンダーは、前述のような構成であるので、合鍵の作製が極めて難しい。
【０００８】
そこで、本考案者は、合鍵を作成することが可能なピンシリンダー錠の検知治具を考案した（特許文献２参照）。
【特許文献２】実用新案登録第３１２５４６１号（要約）
【０００９】
しかし、市場では、より簡単かつ確実なピンシリンダー錠の検知治具の要望が高い。また、外ピン１０の頭部１０ｃの厚みが大きなピンシリンダー錠の場合には、特許文献２の検知治具では合鍵の作成が難しい。
【００１０】
したがって、本考案の目的は、ピンシリンダー錠に対して、簡単かつ確実に合鍵を作製することが可能なピンシリンダー錠の検知治具を提供することである。
【００１１】
前記目的を達成するために、本考案のピンシリンダー錠の検知治具は、外筒に内筒を回動自在に嵌装し、外筒に設けた外ピンの第１曲面と内筒に設けた内ピンの第２曲面とをキーによって内筒と外筒とのシェアラインに一致させることによって内筒の回動が可能となるようにしたピンシリンダー錠において、前記内筒のキー挿入溝に挿入可能なダミーキーにおける前記内ピンに摺接する摺接面の表面層が下記の所定量だけ切削除去されていることを特徴とする。
【００１２】
前記「所定量」とは、前記ダミーキーの前記摺接面にテープを貼り付け、当該ダミーキーをキー挿入溝に挿入し、前記テープが前記内ピンに接触した状態において、前記内ピンの第２曲面の頂部が前記シェアラインから外筒に向って突出し、かつ、前記第２曲面の下端が前記シェアラインよりも内筒に向って退避する量である。
なお、前記「テープ」としては、たとえば、裏面に粘着剤が塗布ないし貼着されたアルミテープなどの金属テープを用いるのが好ましい。
【実施例１】
【００１３】
以下、本考案の一実施例について説明する。
なお、前述のように、ピンシリンダー錠の前記外ピン１０および内ピン１１は、外筒１および内筒２の上部および左右にそれぞれけられているが、説明の簡略化のために、以下の説明では、前記キー挿入溝２０の上部の検知方法を例示して説明する。
【００１４】
検知治具３の構成：
図３に示すように、検知治具は、キー挿入溝２０（図１）に挿入可能なダミーキー３０からなる。ピンシリンダー錠の検知を行うには、ダミーキー３０にテープ４を貼付して行う。前記テープ４は、たとえば、裏面に粘着剤が塗布されたアルミテープからなる。
【００１５】
ここで、図２に示すキー３００の係合孔３０１の深さは、加工精度や、経時劣化、摩耗等を考慮されて数種類の深さに設定されている。以下の説明では、前記係合孔３０１の深さが３種類のキー３００を用いるピンシリンダー錠について説明する。
【００１６】
ダミーキー３０：
前記ピンシリンダー錠の合鍵を作成するには、３種類のダミーキー３０（３０Ｓ，３０Ｍ，３０Ｌ）を用いる。
図３に示すように、前記ダミーキー３０は、キー挿入溝２０（図１）に挿入される挿入部３１と、非挿入部３２とを備えている。
【００１７】
前記挿入部３１は、前記内ピン１１（図５）に摺接する摺接面３３の表面層が所定量だけ切削除去されている。前述のように、図２に示すキー３００の係合孔３０１の深さは３種類に設定されており、そのため、内ピン１１の長さは３種類存在する。したがって、図５〜図７に示すように、各ダミーキー３０Ｓ，３０Ｍ，３０Ｌの挿入部３１の摺接面３３は、テープ４が貼付された状態で、各長さの内ピン１１Ｓ，１１Ｍ，１１ＬがシェアラインＬに一致するように所定量だけ切削除去されている。
【００１８】
すなわち、図５に示すように、最も短い内ピン１１Ｓの位置を検知するためのダミーキー３０Ｓの摺接面３３は、該摺接面３３にテープ４を貼り付け、当該ダミーキー３０Ｓをキー挿入溝２０に挿入し、前記テープ４の表面が各内ピン１１の先端１１ａに接触した状態において、最も短い内ピン１１Ｓの第２曲面１１ｒの頂部が、シェアラインＬから外筒１に向って突出し、かつ、第２曲面１１ｒの下端がシェアラインＬよりも内筒２に向って退避する所定量だけ切削除去されている。
【００１９】
同様に、図６に示す中間の長さの内ピン１１Ｍの位置を検知するためのダミーキー３０Ｍの摺接面３３は、テープ４の表面が各内ピン１１の先端１１ａに接触した状態において、前記中間の長さの内ピン１１Ｍの第２曲面１１ｒの頂部が、シェアラインＬから外筒１に向って突出し、かつ、第２曲面１１ｒの下端がシェアラインＬよりも内筒２に向って退避する所定量だけ切削除去されている。
【００２０】
図７に示す最も長い内ピン１１Ｌの位置を検知するためのダミーキー３０Ｌの摺接面３３は、テープ４の表面が各内ピン１１の先端１１ａに接触した状態において、最も長い内ピン１１Ｌの第２曲面１１ｒの頂部が、シェアラインＬから外筒１に向って突出し、かつ、第２曲面１１ｒの下端がシェアラインＬよりも内筒２に向って退避する所定量だけ切削除去されている。
【００２１】
なお、挿入部３１の摺接面３３の切削量は、たとえば、予め同種のピンシリンダー錠に用いるキー３００（図２）の係合孔３０１（図２）の深さと、テープ４の厚みとを計測することにより知ることができる。
また、図４に示すように、ダミーキー３０の挿入部３１の下部側面には、内ピン１１（図２）のピッチに対応する目盛３８が刻設されている。
【００２２】
検知方法（インプレッション方法）：
以下、図２に示すキー３００の係合孔３０１の検知方法として、最も長い内ピン１１Ｌに対応する係合孔３０１の位置の検知方法を例示して説明する。
まず、図７に示すように、ダミーキー３０Ｌの挿入部３１をキー挿入溝２０の奥まで差し込む。各内ピン１１Ｓ，１１Ｍ，１１Ｌの先端１１ａが、前記ダミーキー３０Ｌの摺接面３３に貼付されたテープ４にそれぞれ接触し、各内ピン１１Ｓ，１１Ｍ，１１Ｌが外ピン１０方向に押される。
【００２３】
前述のように、最も長い内ピン１１Ｌに対応するダミーキー３０Ｌは、摺接面３３が所定量だけ切削除去されているので、図８に示すように、最も長い内ピン１１Ｌの第２曲面１１ｒの頂部は、シェアラインＬから外筒１に向って突出し、かつ、第２曲面１１ｒの下端がシェアラインＬよりも内筒２に向って退避する位置まで押される。
【００２４】
かかる状態で、ダミーキー３０Ｌを、矢印で示す方向Ｒに回すと、図９に示すように、内筒２が外筒１に対して若干回動することにより、内ピン１１の第２曲面１１ｒの表面が外筒１の下端部１０ｅの下にもぐり込み、内ピン１１に対して下方向Ｚの力が生じる。そのため、内ピン１１の先端１１ａがダミーキー３０Ｌ方向に押されて、図１０に示すように、テープ４の表面に該先端１１ａの傷跡４ａが生じる。
一方、図７に示す他の長さの内ピン１１Ｍ，１１Ｓには、前記回動方向Ｒ（図８）に若干の隙間があると共に、下方向Ｚへの力が生じないので、テープ４に傷跡４ａが生じない。
したがって、図１０のテープ４に刻設された傷跡４ａに基づき、最も長い内ピン１１Ｌの位置を検知することができる。
【００２５】
前出の検知作業を、他の種類のダミーキー３０Ｓ，３０Ｍについても繰り返し行い、最も短い内ピン１１Ｓの位置と中程度の長さの内ピン１１Ｍの位置とをそれぞれ検知する。前記検知作業により、各ダミーキー３０Ｓ，３０Ｍ，３０Ｌのテープ４には、それぞれ、各ダミーキー３０に対応する内ピン１１Ｓ，１１Ｍ，１１Ｌの傷跡４ａが生じる。
【００２６】
その後、前記各ダミーキー３０Ｓ，３０Ｍ，３０Ｌのテープ４の傷跡４ａに基づいて、図１１Ａの生鍵（ブランクキー）３に対し、図１１Ｂに示すように、各深さの係合孔３ａを加工して合鍵の作製を行う。
なお、前記合鍵作成時において、図１０に示す目盛３８を参考にすることにより、より一層正確な位置に孔３ａの加工を行うことができる。
【００２７】
このように、テープ４を貼付した各ダミーキー３０（３０Ｓ，３０Ｍ，３０Ｌ）を用いることにより、生鍵３に加工を施す係合孔３ａの深さを検知することができるので、作業者の勘や熟練度に頼ることなく、確実に合鍵の作成を行うことができる。
【００２８】
なお、ピンシリンダー錠によっては、内筒２の位置を固定するためのロッキングボールが設けられているものがある。この種のピンシリンダー錠においては、最も短い内ピン１１Ｓを検知するためのダミーキー３０Ｓを用いることにより、前記ロッキングボールの位置がテープ４に傷跡４ａとして刻設されるので、該ロッキングホールの位置を検知することができる。
【産業上の利用可能性】
【００２９】
本考案のピンシリンダー錠の検知治具は、該ピンシリンダー錠の合鍵作製に用いることができる。
【図面の簡単な説明】
【００３０】
【図１】ピンシリンダー錠の一例を示す概略縦断面図である。
【図２】同ピンシリンダー錠の開錠状態を示す概略縦断面図である。
【図３】本考案の一実施例を示す上用のピンシリンダー錠の検知治具の概略斜視図である。
【図４】同検知治具の概略斜視図である。
【図５】同検知治具による検知方法を示す概略横断面図である。
【図６】同検知治具による検知方法を示す概略横断面図である。
【図７】同検知治具による検知方法を示す概略横断面図である。
【図８】同検知治具による検知方法を示す概略縦断面図である。
【図９】同検知治具による検知方法を示す概略縦断面図である。
【図１０】検知済の検知治具を示す概略斜視図である。
【図１１】図１１Ａは生鍵を示す概略斜視図、図１１Ｂは作成された合鍵を示す概略斜視図である。
【符号の説明】
【００３１】
１：外筒
２：内筒
４：テープ
１０：外ピン
１０ｒ：第１曲面
１１：内ピン
１１ｒ：第２曲面
２０：キー挿入溝
３０：ダミーキー
３３：摺接面
Ｌ：シェアライン
【図１】
0003128771.tif 000003
【図２】
0003128771.tif 000004
【図３】
0003128771.tif 000005
【図４】
0003128771.tif 000006
【図５】
0003128771.tif 000007
【図６】
0003128771.tif 000008
【図７】
0003128771.tif 000009
【図８】
0003128771.tif 000010
【図９】
0003128771.tif 000011
【図１０】
0003128771.tif 000012
【図１１】
0003128771.tif 000013